(57)【要約】【課題】簡易な構成で部品の組み付け間違いを生じるおそれのない光ピックアップ装置を提供することを目的とする。【解決手段】レンズ１４が搭載されたレンズホルダ１３と、固定部材１２と、前記レンズホルダ１３と前記固定部材１２とを接続し、前記固定部材１２を遊動自在に支持する弾性部材１５、１６と、を備え、前記弾性部材１５、１６は、光ディスクの半径方向に対し外周側及び内周側のそれぞれに複数本配置され、全ての前記弾性部材１５、１６は同一素材及び同一直径で構成され、少なくとも前記弾性部材１５ａの１本の一部が他の前記弾性部材と異なる角度で設置する。【選択図】図１
2010015627.tif 000002
【特許請求の範囲】
【請求項１】
光ディスクの半径方向に移動して該光ディスクにレーザを照射する光ピックアップ装置において、
レンズが搭載されたレンズホルダと、
レンズホルダを支持するための固定部材と、
前記レンズホルダと前記固定部材とを接続し、前記固定部材を遊動自在に支持する弾性部材と、を備え、
前記弾性部材は、光ディスクの半径方向に対し外周側及び内周側のそれぞれに複数本配置され、
全ての前記弾性部材は同一素材及び同一直径で構成され、少なくとも前記弾性部材の１本の一部が他の前記弾性部材と異なる角度に設置されている、
ことを特徴とする光ピックアップ装置。
【請求項２】
内周側に位置する少なくとも１本の前記弾性部材の一部が他の前記弾性部材と異なる角度に設置されている、ことを特徴とする請求項１に記載の光ピックアップ装置。
【請求項３】
前記弾性部材の少なくとも１本が撓んでいる、ことを特徴とする請求項１又は２に記載の光ピックアップ装置。
【請求項４】
前記弾性部材が前記光ディスク面に対して直行する方向に撓んでいる、ことを特徴とする請求項３に記載の光ピックアップ装置。
【請求項５】
前記弾性部材の少なくとも１本が他の前記弾性部材に対し傾斜して設置されている、ことを特徴とする請求項１又は２に記載の光ピックアップ装置。
【請求項６】
前記光ディスク面に対して直行する方向に前記弾性部材が傾斜している、ことを特徴とする請求項５に記載の光ピックアップ装置。
【発明の詳細な説明】
【技術分野】
【０００１】
本発明は、光ディスクの情報記録及び再生に用いる光ピックアップ装置に関する。
【背景技術】
【０００２】
光記録媒体のディスクに情報を記録或いは再生する光記録／再生装置には、ディスクの半径方向に沿って移動しつつ、そのディスクの記録面に垂直に光を照射し、それより反射される光を受光して情報を記録或いは再生する光ピックアップ装置が用いられている。
【０００３】
ディスクは完全に水平状態であることが理想的ではあるが、実際には若干撓んでいる場合があり、この撓んだディスク面に追従して光を垂直に照射及び受光できる光ピックアップ装置の開発が進められている（例えば、特許文献１）。
【特許文献１】特開２００３−２４８９４６号公報
【発明の開示】
【発明が解決しようとする課題】
【０００４】
特許文献１に開示の発明では、ホルダとブレードを接続する４本の弾性支持材のうち、ディスクの内周側に位置する２本の内周側弾性支持材を外周側に位置する２本の外周側弾性支持材よりも太さ、長さ又は材質を異ならせて剛性を強めているため、光ピックアップ装置を組み立てる際に、弾性支持材の取り付け箇所を間違えてしまい、不良品を誘発するという課題がある。
【０００５】
また、異なる弾性支持材を組み合わせて使用するものであるため、弾性支持材の製造ロットが変わった際に生じる寸法等のばらつきにより、設定したバネ定数差を得ることができず、期待した効果を発揮し得ないという問題がある。
【０００６】
本発明は上記実状に鑑みて成されたものであり、簡易な構成で部品の組み付け間違いを生じるおそれがなく光ディスクの撓みに対応できる光ピックアップ装置を提供することを目的とする。
【課題を解決するための手段】
【０００７】
上記目的を達成するため、本発明の光ピックアップ装置は、光ディスクの半径方向に移動して該光ディスクにレーザを照射する光ピックアップ装置において、レンズが搭載されたレンズホルダと、レンズホルダを支持するための固定部材と、前記レンズホルダと前記固定部材とを接続し、前記固定部材を遊動自在に支持する弾性部材と、を備え、前記弾性部材は、光ディスクの半径方向に対し外周側及び内周側のそれぞれに複数本配置され、全ての前記弾性部材は同一素材及び同一直径で構成され、少なくとも前記弾性部材の１本の一部が他の前記弾性部材と異なる角度に設置されている、ことを特徴とする。
【０００８】
また、内周側に位置する少なくとも１本の前記弾性部材の一部が他の前記弾性部材と異なる角度に設置されていてもよい。
【０００９】
また、前記弾性部材の少なくとも１本が撓ませて設置されていてもよい。
【００１０】
また、前記弾性部材が前記光ディスク面に対して直行する方向に撓んでいることが好ましい。
【００１１】
また、前記弾性部材の少なくとも１本が他の前記弾性部材に対し、傾斜して設置されていてもよい。
【００１２】
また、前記光ディスク面に対して直行する方向に前記弾性部材が傾斜していることが好ましい。
【発明の効果】
【００１３】
本発明によれば、光ピックアップ装置を組み立てる際に弾性支持材の取り付け箇所を間違えることがなく、光ディスクの撓みに対応できる光ピックアップ装置を提供することができる。
【発明を実施するための最良の形態】
【００１４】
（実施の形態１）
本発明の実施の形態にかかるディスク装置について、以下図面を参照して説明する。実施の形態１に適用される光ピックアップ装置１は、図１及び図２に示すように、主としてベース１１に固定された固定部材１２と、レンズ１４が搭載されたレンズホルダ１３と、固定部材１２とレンズホルダ１３を接続する内周側支持部材１５ａ、１５ｂ、外周側支持部材１６ａ、１６ｂから構成される。
【００１５】
レンズ１４は、レンズホルダ１３に一体に支持されている。レンズ１４は、光を通過させて光ディスクの記録面に照射し、その反射光を受光して光学的に情報の読み取り／書き込みを行う。
【００１６】
レンズホルダ１３には内側ヨーク１７ａ、１７ｂが配置され、外側ヨーク１９ａ、１９ｂはベース１１に固定されている。外側ヨーク１９ａ、１９ｂには磁石１８ａ、１８ｂがそれぞれ固定され、磁石１８ａ、１８ｂはレンズホルダ１３を介して対向配置されている。
【００１７】
ベース１１は磁性体であり、磁石１８ａ、外側ヨーク１９ａ、ベース１１、内側ヨーク１７ａ及び内側ヨーク１７ａと磁石１８ａの間のギャップとで磁気回路が形成されている。同様に磁石１８ｂ、外側ヨーク１９ｂ、ベース１１、内側ヨーク１７ｂ及び内側ヨーク１７ｂ及び磁石１８ｂの間のギャップとで磁気回路が形成されている。
【００１８】
トラッキングコイル２１ａ、２１ｂ、フォーカスコイル２０はレンズホルダ１４に貼着されている。これらのコイル２１ａ、２１ｂ、２０は、上述した磁気回路のギャップに配置されている。
【００１９】
図２からわかるように、固定部材１２とレンズホルダ１３の内周側（光ディスク２２の内周側）を２本の内周側支持部材１５ａ、１５ｂが接続し、他方、外周側（光ディスク２２の外周側）を２本の外周側支持部材１６ａ、１６ｂが接続している。内周側支持部材１５ａ、１５ｂ、及び外周側支持部材１６ａ、１６ｂは、金属等を素材とする細線を用いており、全て同一の素材且つ同一の直径である。
【００２０】
そして、内周側支持部材１５ａのみを撓ませて取り付けてある。内周側支持部材１５ａを撓ませて設置することにより内周側支持部材１５ａの捻り剛性が高くなる結果、レンズホルダ１３の内周側と外周側とで捻り剛性を異ならしめている。
【００２１】
前述のように構成された光ピックアップ装置１の動作を説明すれば次の通りである。フォーカスコイル２０又はトラッキングコイル２１ａ、２１ｂに電流を印加すると、磁石１８ａ、１８ｂの磁力により、これらのフォーカスコイルコイル２０、或いはトラッキングコイル２１ａ、２１ｂとの相互作用が生じる。レンズホルダ１３は支持部材１５ａ、１５ｂ、１６ａ、１６ｂにより遊動自在に支持されているため、前述した相互作用によって支持部材１５ａ、１５ｂ、１６ａ、１６ｂが弾性変形し、レンズホルダ１３がフォーカス方向やトラッキング方向に駆動される。
【００２２】
ここで、フォーカス方向への駆動時、フォーカスコイル２０に印可する電流の向きによってレンズホルダ１３のフォーカス方向への移動方向が決定される。また、トラッキングコイル２１ａ、２１ｂに印可する電流の向きによってレンズホルダ１３のトラッキング方向への移動方向が決定される。
【００２３】
光ディスク２２は、上述のようにその記録面が完璧に水平状態ではなく、実際には上向き或いは下向きに若干撓んでおり、いわゆる偏向エラーを有する。すなわち、光ディスク２２が回転すると撓み量分だけレンズ１４と光ディスク２２の記録面との距離が変わり、光ディスク２２への情報の記録或いは再生ができないこととなる。このため、フォーカスコイル２０やトラッキングコイル２１ａ、２１ｂに電流を流し、レンズホルダ１３を駆動して制御し、レンズホルダ１３のフォーカシング及びトラッキング動作によって固定部材１２に装着されたレンズ１４を通過したビームが光ディスク２２に焦点を合わせ、光ディスク２２の情報を再生或いは光ディスク２２への情報の記録を行う。
【００２４】
ここで、レンズホルダ１３は支持部材１５ａ、１５ｂ、１６ａ、１６ｂそれぞれの一端に吊られて駆動するため、制作工程上の誤差や光ピックアップ装置１の構造上の問題から、フォーカス制御のためレンズホルダ１３を光ディスク２２に接近或いは離間する際に、レンズホルダ１３がローリング現象を生じる。なお、このローリング現象には、固定部材１２とレンズホルダ１３とを結ぶ線を回転軸としてローリングするラジアル方向ローリングがある。
【００２５】
ラジアル方向ローリングには、レンズ１４が光ディスク２２に接近或いは離間する際に、レンズホルダ１３の外周側のローリング変位が内周側のローリング変位よりも大きいタイプ（Ａ型）、逆に外周側のローリング変位が内周側のローリング変位よりも小さいタイプ（Ｂ型）が有り得る。Ａ型は、偏向エラーを有する光ディスク２２に合わせてレンズ１４のフォーカス制御を行う際、ラジアル方向ローリングがレンズ１４の光軸と光ディスク２２の記録面とを垂直に概略保持する効果があるため、偏向エラーを相殺するのに有効に作用する。Ｂ型は逆に偏向エラーを更に増幅させるため好ましくない。
【００２６】
本実施の形態１においても、レンズホルダ１３のフォーカス制御時にラジアル方向ローリングが起こるが、内周側支持部材１５ａを撓ませて取り付けているので、外周側のローリング変位が内周側のローリング変位より大きい。これは光ディスクの外周側偏向に対するレンズホルダ１３の対応力が内周側偏向に対する対応力に比べて相対的に大きいということを意味する。しかしながら、光ディスクの偏向程度はレンズホルダ１３を基準としてみると、外周側が内周側に比べて相対的に大きい。従って、偏向程度が大きい光ディスク外周側に対応する外周側支持部材１６ａ、１６ｂの剛性を内周側支持部材１５ａ、１５ｂよりも相対的に弱くすることで、外周側のローリング対応力を向上させている。すなわち、上述のＡ類型となり偏向エラーを相殺し、レンズ１４の光軸と光ディスク２２の記録面とを垂直に概略保持できる。
【００２７】
上述の動作状況について図を参照して具体的に説明すると、図３（Ａ）に示すように、光ディスクに撓みがなく平らな場合にはレンズホルダ１３がそのままフォーカス方向に上昇し、レンズ１４に対向する光ディスク２２面にレンズ１４を通過した光が正確にフォーカシングされる。なお、符号２３は光ディスク２２を回転させるモーターを示している。
【００２８】
また、図３（Ｂ）に示すように、光ディスク２２が外周方向の上側に撓んでいる場合、フォーカス制御を行うためレンズホルダ１３が、撓みの無いディスクと比較して更に上昇しつつ、主に図面上方向に外周側がローリングされ、レンズ１４に対向する光ディスク２２面にレンズ１４を通過した光が正確にフォーカシングされる。
【００２９】
また、図３（Ｃ）に示すように、光ディスク２２が外周方向の下側に撓んでいる場合、フォーカス制御を行うためレンズホルダ１３が、撓みの無いディスクと比較して更に下降しつつ、主に図面下方向に外周側がローリングされ、光ディスク２２面がレンズ１４の光軸に対して垂直をなし、これにより光ディスク２２面に正確にフォーカシングされる。
【００３０】
このように、本実施の形態１に係る光ピックアップ装置１は、フォーカス制御時に光ディスク２２の撓みに応じて偏向エラーを相殺させる方向に作用するので、撓んだ光ディスク２２に対する対応が効率的に行われる。そして、このような撓んだ光ディスク２２に対する対応力を向上しており、レンズ１４を通過した光を光ディスク２２に正確に集束させることができる。
【００３１】
本実施の形態では、内周側支持部材１５ａのみを撓ませて設置しているが、内周側支持部材１５ｂのみを撓ませて設置してもよい。また、内周側支持部材１５ａ、１５ｂの双方を撓ませて設置してもよい。この場合、より内周側の剛性を高くすることができる。
【００３２】
また、内周側支持部材１５ａは光ディスクに対して直交する方向に撓ませることが好ましい。撓み方向と光ピックアップ装置１の回転方向とが概略一致することになり、僅かな撓み量で高い剛性を発揮するためである。
【００３３】
内周側支持部材１５ａを撓ませて設置するには、支持部材１５ａをレンズホルダ１３に半田付けする際に、治具を用いて接続することで容易に行える。
【００３４】
全ての支持部材１５ａ、１５ｂ、１６ａ、１６ｂは同一の素材、且つ、同一の直径から構成しており、設置する箇所ごとに部材を変更する必要がない。このため、それぞれの設置箇所に、異なる部材を誤って設置するおそれがない。また、同一の部材を用いるので、材料費のコスト低減、更には作業時間の短縮にもつながり製造コストの低減を実現できる。
【００３５】
更に、同一の素材、且つ、同一の直径の金属ワイヤー等を用いて支持部材１５ａ、１５ｂ、１６ａ、１６ｂを構成すればよいことから、複数種類の支持部材を使用する場合に比較して、支持部材のロットによるローリング変位量差の発生が生じず、一定品質の光ピックアップ装置１を容易に製造することができる。
【００３６】
撓み量を変えた治具を用いることで、傾き量を調節して設定することができ、剛性の調節も容易に行える。更には、製造した光ピックアップ装置の支持部材の撓み量が不足して、所望の剛性を得られなかった場合でも、後に治具を用いてより撓ませて所望の剛性に調節することや、逆に支持部材の撓みが大きすぎて剛性が高すぎる場合にも、後に撓み量を小さくし、所望の剛性に調節することができる。このように、製品製造後でも内周側と外周側の剛性の調節が容易に行える利点がある。
【００３７】
（実施の形態２）
他の実施の形態に係る光ピックアップ装置２について、以下に図を参照して説明する。図４及び図５に図示するように、光ピックアップ装置２の内周側支持部材１５ａは、他の支持部材１５ｂ、１６ａ、１６ｂに対して傾斜して設置されている。その他の構成については、前述の光ピックアップ装置１と同様であるため、説明を省略する。
【００３８】
内周側支持部材１５ａを傾斜して設置することにより、内周側支持部材１５ａの捻り剛性が高くなるため、レンズホルダ１３の内周側の捻り剛性は外周側の捻り剛性よりも高くすることができる。したがって、光ピックアップ装置１と同様に、レンズホルダ１３の外周側の剛性が内周側の剛性よりも相対的に弱い。このため、外周側のローリング変位量が内周側のローリング変位量よりも大きくなるので、前述の光ピックアップ装置１と同様に外周側のローリング対応力が向上した構成である。
【００３９】
内周側支持部材１５ａは、光ディスク２２面に対して直交する方向に傾斜して設置することが好ましい。傾斜方向と光ピックアップ装置２の回転方向とが概略一致することになり、僅かな傾斜量で高い剛性を発揮するためである。
【００４０】
動作状況等、その他の事項については前述の光ピックアップ装置１と同様である。
【００４１】
なお、この発明は上記実施の形態に限定されず、種々の変形及び応用が可能である。
【図面の簡単な説明】
【００４２】
【図１】本発明の実施の形態１に係る光ピックアップ装置の概略構成を示す斜視図である。
【図２】（Ａ）は、本発明の実施の形態１に係る光ピックアップ装置の内周側を示す側面図、（Ｂ）は外周側を示す側面図である。
【図３】本発明の実施の形態１に係る光ピックアップ装置の動作状況を示す図である。
【図４】本発明の実施の形態２に係る光ピックアップ装置の概略構成を示す斜視図である。
【図５】（Ａ）は、本発明の実施の形態２に係る光ピックアップ装置の内周側を示す側面図、（Ｂ）は外周側を示す側面図である。
【符号の説明】
【００４３】
１    光ピックアップ装置
２    光ピックアップ装置
１１    ベース
１２    固定部材
１３    レンズホルダ
１４    レンズ
１５ａ  内周側支持部材
１５ｂ  内周側支持部材
１６ａ  外周側支持部材
１６ｂ  外周側支持部材
１７ａ  内側ヨーク
１７ｂ  内側ヨーク
１８ａ  磁石
１８ｂ  磁石
１９ａ  外側ヨーク
１９ｂ  外側ヨーク
２０    フォーカスコイル
２１ａ  トラッキングコイル
２１ｂ  トラッキングコイル
２２    光ディスク
２３    モーター
【図１】
2010015627.tif 000003
【図２】
2010015627.tif 000004
【図３】
2010015627.tif 000005
【図４】
2010015627.tif 000006
【図５】
2010015627.tif 000007